(57)【要約】【課題】  ＬＤが絶対最大定格を超えて発光し、ＬＤに劣化等のダメージが加わることを回避する。【解決手段】  ＬＤ制御装置は、光出力をフィードバックして、断続的にＡＰＣを行う。ＬＤ駆動電流値を電位換算して保持する電位保持手段２６と、電位換算して電位保持手段に保持されたＬＤ駆動電流値に応じて駆動電流を出力するＬＤ駆動手段２３と、画像データに応じて駆動電流をＯＮ，ＯＦＦするＯＮ・ＯＦＦ制御手段２４と、ＬＤ光量を検知して電位に変換する光出力検知手段と、ＬＤ光量の基準となる光量基準電位と前記光出力検知手段の出力電位とを比較し、比較結果に応じて電流を出力する比較手段２１と、ＡＰＣ信号のＯＮ，ＯＦＦに応じて断続的に前記比較手段の出力電流を前記電位保持手段に入力することによりＡＰＣを行なうスイッチ手段２２とを備える。ＡＰＣ終了後にＬＤ発光させず、次のＡＰＣ開始時点においてＡＰＣ終了時点と同一の電流量により再びＬＤを発光させた場合に、ＬＤの熱特性による光量の増加量よりも電位保持手段の電位低下によるＬＤ光量の減少量が大きくなるように設定する。【選択図】  図３
2006080466.tif 000002
【特許請求の範囲】
【請求項１】
光出力をフィードバックして、断続的に自動光量制御を行うレーザーダイオード制御装置であって、
レーザーダイオード駆動電流値を電位換算して保持する電位保持手段と、
電位換算して前記電位保持手段に保持されたレーザーダイオード駆動電流値に応じて駆動電流を出力するレーザーダイオード駆動手段と、
画像データに応じて駆動電流をＯＮ，ＯＦＦするＯＮ・ＯＦＦ制御手段と、
レーザーダイオード光量を検知して電位に変換する光出力検知手段と、
レーザーダイオード光量の基準となる光量基準電位と前記光出力検知手段の出力電位とを比較し、比較結果に応じて電流を出力する比較手段と、
自動光量制御信号のＯＮ，ＯＦＦに応じて断続的に前記比較手段の出力電流を前記電位保持手段に入力することにより自動光量制御を行なうスイッチ手段とを備え、
自動光量制御終了後にレーザーダイオード発光させず、次の自動光量制御開始時点において自動光量制御終了時点と同一の電流量により再びレーザーダイオードを発光させた場合に、レーザーダイオードの熱特性による光量の増加量よりも電位保持手段の電位低下によるレーザーダイオード光量の減少量が大きくなるように設定したことを特徴とするレーザーダイオード制御装置。
【請求項２】
下記式Ａを満足するように設定することを特徴とする請求項１記載のレーザーダイオード制御装置。
α・ΔＩｔｈ  ＝ΔＩｏｐ  ……式Ａ
式Ａ中において、ｔは自動光量制御終了から次の自動光量制御開始までの時間間隔［ｓ］、ΔＩｔｈは自動光量制御終了後、ｔ秒後の閾値電流減少量［Ａ］、ΔＩｏｐは自動光量制御終了後、ｔ秒後の電位保持手段のレーザーダイオード駆動電流減少量［Ａ］、αは１以上の任意の正の実数である。
【請求項３】
前記電位保持手段はＧＮＤとの間に電荷をチャージするコンデンサであり、該コンデンサに対し、抵抗がＧＮＤとの間に並列に接続されることにより、前記電位保持手段の電位低下割合を調節可能としたことを特徴とする請求項１または２記載のレーザーダイオード制御装置。
【請求項４】
請求項１から３のいずれか１項に記載のレーザーダイオード制御装置を備えた集積回路。
【発明の詳細な説明】
【技術分野】
【０００１】
本発明はレーザーダイオードから放射されるレーザー光量を制御するレーザーダイオード制御装置および集積回路に関する。
【背景技術】
【０００２】
デジタル複写機、レーザービームプリンター、ファクシミリ等においては、光ビームによって画像の書き込みを行なうためにレーザーダイオード（以下、ＬＤ）が用いられている。また、光ディスクや光通信などの情報・通信分野においても、レーザービーム光源としてＬＤが用いられている。
【０００３】
このようなＬＤにおいては、温度変動によって閾値電流（Ｉｔｈ）が変動する特性を有することが知られており、ＬＤを定電流で駆動していても、閾値電流の変動に伴って光量が変動している。
【０００４】
このため、発光量を検出して駆動電流量を調整するという手段が考えられ、特許文献１に記載されるように、一定期間毎に断続的に自動光量調整（以下、ＡＰＣ）を行なって光量調整する一方、ＡＰＣ期間外においては、電位保持手段に電位換算して保持されたＬＤ駆動電流値に基づいて定電流制御を行なっている。
【特許文献１】特開２００２−２０２１号公報
【発明の開示】
【発明が解決しようとする課題】
【０００５】
しかしながら特許文献１に記載の技術においては、ＡＰＣ期間から次のＡＰＣ期間に移行するまでの間に、定電流制御によってＬＤを連続発光させた場合、ＬＤ発光領域において電流印加に伴う発熱によって局所的温度上昇が発生する。一方、ＬＤは温度によって閾値電流が変動するため、ＬＤ発光領域の局所的温度上昇に伴って閾値電流が上昇し、ＬＤ発光量が徐々に低下する現象が発生する。この現象はドゥループと呼ばれるものであり、バイアス電流を供給する等の手段によって画像に影響を与えない程度に押さえることが可能である。
【０００６】
また逆に、ＡＰＣ期間から次のＡＰＣ期間に移行するまでの間、ＬＤが無点灯の場合には、ＬＤへの印加電流量低下によってＬＤ発光領域における発熱量が減少し、局所的な温度低下が発生する。ＬＤはＬＤ発光領域の局所的温度低下に伴って次第に閾値電流が低下していき、ここで再びＡＰＣ終了時点と同量の電流で駆動した場合、ＡＰＣ終了時よりもＬＤ光量が増大し、場合によっては、絶対最大定格を超えて発光し、ＬＤに劣化等のダメージを与える問題点が存在している。上述した技術では、この問題点に対する考慮がなされておらず、最大定格に近い光量でＬＤ駆動装置を使用したときにＬＤの寿命が短くなっている。
【０００７】
本発明はこのような問題点を考慮してなされたものであり、ＡＰＣ期間から次のＡＰＣ期間に移行するまでの間にＬＤ連続無点灯状態にあったときにＬＤの熱特性による光量増加量よりも、ＬＤ駆動電流値を電位換算して保持する電位保持手段の電位低下によるＬＤ光量減少量の方が大きくなるように設定し、これによりＬＤが絶対最大定格を超えて発光し、ＬＤに劣化等のダメージが加わることを回避することを目的とする。
【課題を解決するための手段】
【０００８】
請求項１記載の発明は、光出力をフィードバックして、断続的にＡＰＣを行うＬＤ制御装置であって、ＬＤ駆動電流値を電位換算して保持する電位保持手段と、電位換算して前記電位保持手段に保持されたＬＤ駆動電流値に応じて駆動電流を出力するＬＤ駆動手段と、画像データに応じて駆動電流をＯＮ，ＯＦＦするＯＮ・ＯＦＦ制御手段と、ＬＤ光量を検知して電位に変換する光出力検知手段と、ＬＤ光量の基準となる光量基準電位と前記光出力検知手段の出力電位とを比較し、比較結果に応じて電流を出力する比較手段と、ＡＰＣ信号のＯＮ，ＯＦＦに応じて断続的に前記比較手段の出力電流を前記電位保持手段に入力することによりＡＰＣを行なうスイッチ手段とを備え、ＡＰＣ終了後にＬＤ発光させず、次のＡＰＣ開始時点においてＡＰＣ終了時点と同一の電流量により再びＬＤを発光させた場合に、ＬＤの熱特性による光量の増加量よりも電位保持手段の電位低下によるＬＤ光量の減少量が大きくなるように設定したことを特徴とする。
【０００９】
請求項２記載の発明は、請求項１記載のＬＤ制御装置であって、下記式Ａを満足するように設定することを特徴とする。
α・ΔＩｔｈ  ＝ΔＩｏｐ  ……式Ａ
式Ａ中において、ｔはＡＰＣ終了から次のＡＰＣ開始までの時間間隔［ｓ］、ΔＩｔｈはＡＰＣ終了後、ｔ秒後の閾値電流減少量［Ａ］、ΔＩｏｐはＡＰＣ終了後、ｔ秒後の電位保持手段のＬＤ駆動電流減少量［Ａ］、αは１以上の任意の正の実数である。
【００１０】
請求項３記載の発明は、請求項１または２記載のＬＤ制御装置であって、前記電位保持手段はＧＮＤとの間に電荷をチャージするコンデンサであり、該コンデンサに対し、抵抗がＧＮＤとの間に並列に接続されることにより、前記電位保持手段の電位低下割合を調節可能としたことを特徴とする。
【００１１】
請求項４記載の発明は、集積回路であって、請求項１から３のいずれか１項に記載のＬＤ制御装置を備えたことを特徴とする。
【発明の効果】
【００１２】
本発明によれば、ＡＰＣ期間から次のＡＰＣ期間に移行するまでの間にＬＤ連続無点灯状態にあったとき、ＬＤの熱特性による光量増加量よりもＬＤ駆動電流値を電位換算して保持する電位保持手段の電位低下によるＬＤ光量の減少量が大きくなるように設定しているため、絶対最大定格に近い光量でＬＤ駆動装置を使用したときであっても、ＬＤ熱特性に起因してＬＤの閾値電流が低下してＬＤが絶対最大定格を超えて発光し、ＬＤ劣化等のダメージが加わるのを防止することができる。
【発明を実施するための最良の形態】
【００１３】
以下、本発明を図１から図１２に示す一実施形態により具体的に説明する。
【００１４】
図１は、本発明の一実施形態が適用された画像形成装置としてのレーザープリンターの構成を示す図である。図１に示すように、レーザーダイオード・ユニット（ＬＤＵ）１内のレーザーダイオード（ＬＤ）から射出されたレーザービームがＬＤＵ１内部のコリメートレンズによって平行光線となり、回転多面鏡（ポリゴンミラー）２によって偏向走査された後、ｆ−θレンズ３等から構成される結像レンズ及び反射ミラー４によってドラム状の感光体５の帯電した表面に画像を結像する。この際に、レーザービームは画像信号に基いて変調されて点灯、消灯を繰り返し、ポリゴンミラー２の回転に従って図中矢印の主走査方向に反復して走査されると同時に、感光体５が回転して副走査を行なうことによって感光体５上に静電潜像を形成する。
【００１５】
形成された静電潜像は帯電した現像剤（トナー）によって現像され、さらに現像剤とは反対の電荷を与えられた転写紙等の転写材が感光体に密着させられることにより現像剤が転写材に転写される。そして、転写材が感光体から分離した後、加熱されることにより現像剤が転写材上に融着して定着が行われる。ここで、感光体５上の走査領域外に配置された受光素子７は、同期検知ミラー６を介してレーザービームを検知し、ＬＤ制御部は、受光素子７によって得られた検知信号を基にして、画像が感光体５上に書き込まれる期間である有効走査期間を割り出している。
【００１６】
図２は書き込み制御部の回路構成を示すブロック図である。図２において、中央演算処理装置（ＣＰＵ）１１はレーザープリンタの全体を制御している。画像処理部（ＩＰＵ）１２は発光素子制御装置であるＬＤドライバ１４に画像データ並びにサンプル＆ホールド信号（Ｓ／Ｈ信号）等の制御信号を送信する。
【００１７】
またＬＤドライバ１４は受信した画像データ・制御信号を基にして発光素子であるＬＤ１５を駆動する。ここで画像処理部（ＩＰＵ）１２は、有効走査期間外においてＡＰＣ制御用に画像データ信号を送出してＬＤ１５を点灯し、サンプル＆ホールド信号（Ｓ／Ｈ信号）をサンプル状態にすることにより、ＬＤパッケージに内蔵されたフォトダイオード（ＰＤ）１６で発生するモニター電流をＡＰＣ回路内臓のＬＤドライバ１４にフィードバックしてＡＰＣを行なう。そして有効走査期間内においてはＳ／Ｈ信号をホールド状態にしてＡＰＣ制御を中止して定電流制御を行なう。
【００１８】
またこの際に、画像処理部（ＩＰＵ）１２はデジタル制御信号をＤＡコンバータ１３に送信して、ＤＡコンバータ１３のアナログ電位出力をコントロールする。ＬＤドライバ１４は、この出力電位が分圧抵抗で分圧されることにより生成された光量基準電位に応じた光量になるようＬＤ１５をコントロールする。
【００１９】
図３は、発光素子制御装置であるＬＤドライバ１４に内蔵されたＡＰＣ回路のブロック図である。
【００２０】
画像処理部（ＩＰＵ）１２は、有効走査期間外のＡＰＣ動作時において、ＬＤ１５を連続点灯させるための画像データ信号とＡＰＣを実行するためのサンプル信号をＬＤドライバ１４に送信する。
【００２１】
発光素子であるＬＤ１５を連続点灯するための画像データ信号は、ＯＮ・ＯＦＦ制御手段としてのＬＤ変調回路２４に入力されることにより、ＬＤ変調回路２４を連続的にＯＮ状態とするとともに、ＡＰＣを実行するためのサンプル信号は、スイッチ手段としてのＳ／Ｈスイッチ２２をＯＮに切り替える。この切り替えにより、電位保持手段としてのホールドコンデンサ２６の電位に応じた電流制御信号が発光素子駆動手段としての電流生成回路２３に送信され、この電流制御信号に応じた電流がＬＤ変調回路２４を介してＬＤ１５に供給されＬＤ１５が連続的に発光し、ＬＤ１５の光強度に比例した電流が光出力検知手段としてのＰＤ１６に流れ込む。そして、Ｉ／Ｖ変換回路２５においては、ＰＤ１６を流れる電流値が電位に変換される。その変換後の電位と前記光量基準電位が、比較手段としてのコンパレータ２１によって比較され、比較結果に基いてホールドコンデンサ２６が充電もしくは放電されて、コンデンサ電位が制御される。これにより、ＬＤ変調回路２４の出力電流がコントロールされ、ＬＤ光量が目標とする値に制御されるＡＰＣ動作状態となる。
【００２２】
有効走査期間である画像書込み時には、Ｓ／Ｈ信号がホールド信号に変って、Ｓ／Ｈスイッチ２２がＯＦＦに切り替わる。その結果、ＡＰＣ動作は中止され、ホールドコンデンサ２６の電位に基づいてＬＤ変調回路２４の出力電流がコントロールされる定電流制御状態に移行する。この定電流制御状態においては、画像処理部（ＩＰＵ）１２から送出される画像データ信号に基いて、ＬＤドライバ１４内部のＬＤ変調回路２４を介してＬＤ１５が変調されて、感光体上に画像の書き込みが行われる。そして、有効走査期間外においてＡＰＣ動作に移行し、以後この動作を繰り返す。
【００２３】
図４はＬＤ変調回路２４の構成を示す。この実施の形態におけるＬＤ変調回路２４は、バイアス変調方式であり、ホールドコンデンサ２６の電位に基いた電流制御信号に応じてＬＤ点灯時にＬＤに印加する電流量をコントロールするとともに、画像処理部（ＩＰＵ）１２から送出される画像データに基づいてＬＤドライバ１４内部で生成された２つの互いに論理反転した信号に応じてＬＤ１５への電流供給をＯＮ、ＯＦＦしてＬＤ変調している。
【００２４】
この実施の形態においては、図５に示すように、ＧＮＤとの間にホールドコンデンサ２６と並列に抵抗３１が接続されている。抵抗３１は、ＡＰＣ期間外におけるＬＤ１５の熱特性による光量増加量よりも電位保持手段の電位低下によるＬＤ光量の減少量の方が大きくなるように選定されている。この抵抗３１は、下記抵抗値を有するものである。
【００２５】
すなわち、抵抗３１は、下記式Ａを満足するように設定される。
α・ΔＩｔｈ  ＝ΔＩｏｐ  ……式Ａ
（式Ａ中において、ｔは自動光量制御終了から次の自動光量制御開始までの時間間隔［ｓ］、ΔＩｔｈは自動光量制御終了後、ｔ秒後の閾値電流減少量［Ａ］、ΔＩｏｐは自動光量制御終了後、ｔ秒後の電位保持手段のレーザーダイオード駆動電流減少量  ［Ａ］、αは１以上の任意の正の実数である。）
【００２６】
このような抵抗３１を接続した場合の効果を次に説明するが、まず、断続的ＡＰＣを行うＬＤ制御装置において、ＡＰＣ期間外のＬＤ１５の挙動について述べる。
【００２７】
一般に、断続的ＡＰＣを行うＬＤ制御装置では、上述した実施の形態と同様にＡＰＣ期間外の有効走査期間においては、Ｓ／Ｈ信号をホールド状態にしてＡＰＣ制御を中止して定電流制御を行なっている。このためＡＰＣ期間外では、ＬＤ１５は定電流駆動されるが、ＬＤ１５が定電流制御されていても、ＬＤ１５の熱特性によって光量は一定とはならないことが知られている。
【００２８】
図６に示すようにＬＤ１５には閾値電流（Ｉｔｈ）と呼ばれる電流値が存在し、この閾値電流以下の電流をＬＤ１５に供給してもＬＤ１５は発光しないという性質を有している。そして、この閾値電流を超えて電流を供給すると駆動電流（Ｉｏｐ）と閾値電流の差分に比例して光量が増大することが知られている。この比例定数は微分効率と呼ばれるものである。
【００２９】
これを数式で表現すると、式１となる。
Ｐ  ＝η（Ｉｏｐ  −  Ｉｔｈ）……式１
（式１において、ＰはＬＤ光量［Ｗ］、ηは微分効率［Ｗ／Ａ］、Ｉｏｐは駆動電流［Ａ］、Ｉｔｈは閾値電流［Ａ］である。）
【００３０】
さらに、閾値電流は温度依存性を有していることが知られており、温度が高くなると閾値電流量が大きくなる。すなわち、図７及び式１からも分かるように、ＬＤ１５を同一電流で駆動している場合でも、温度が低下するとＬＤ光量は増大するものである。
【００３１】
また、ＬＤ１５に電流を供給した場合、ＬＤ１５内部における局所的な発熱によってレーザー媒質が温度上昇を起こし、温度上昇に伴う閾値電流の増加によって、図８及び図９に示すようにＬＤ光量が減少してくる。この現象はドゥループ（ｄｒｏｏｐ）であり、ドゥループが大きいと画像形成装置においては画質に影響を及ぼすことがある。
【００３２】
これとは逆に、それまでＬＤ１５に供給されていた電流が途切れ、しばらく無点灯状態が続いた場合、それまでのＬＤ１５内部における局所的な発熱がなくなって、レーザー媒質が温度低下を起こし、図１０及び図１１に示すように、温度低下に伴って閾値電流が減少してくる。その時点で再び無点灯前と同量の電流を供給した場合、閾値電流が低下しているためにＬＤ光量は元の状態よりも増大することになる。
【００３３】
このような光量変動は、あまり大きくない場合には画像に影響を与えないが、変動が大きい場合には顕在化して、画像に影響を与える。このような光量変動は、この実施の形態のようにあらかじめ閾値電流以下のバイアス電流を供給しておくことで小さく抑えることが可能となる。
【００３４】
次に、上記のような断続的ＡＰＣを行うＬＤ制御装置におけるＡＰＣ期間外のＬＤ１５の挙動がＬＤ自身に与える影響について述べる。
【００３５】
上記のような断続的ＡＰＣを行なうＬＤ制御装置において、絶対最大定格に近い光量でＬＤ１５を駆動する場合には、連続的にＬＤ１５に供給されていた電流が途切れ、しばらく無点灯状態が続いた後に再び無点灯前と同量の電流を流した場合、閾値電流の減少によって絶対最大定格を超えてＬＤ１５が発光する可能性がある。このような場合には、ＬＤ１５が劣化に至るダメージを受けたり、経時劣化が加速される可能性がある。
【００３６】
これに対し、この実施の形態では、ＡＰＣ期間外において光量増加割合よりも、ホールドコンデンサ２６の電位低下割合の方を大きく設定ものであり、その効果について述べる。
【００３７】
上述したように、ＬＤドライバ１４はホールドコンデンサ２６の電位に応じた電流をＬＤ１５に供給するように作動する。そこでＡＰＣ期間外において、ホールドコンデンサ電位を次第に低下させていけば、これに応じてＬＤ１５に供給される電流も漸次低下し、ひいてはＬＤ光量も次第に低下していく。一方、無点灯状態をはさんでＬＤ１５に電流を供給する場合、温度低下によって閾値電流が減少し、ＬＤ１５に同量の電流を流す場合でも、ＬＤ１５の光量は増大する。
【００３８】
ここで、ＬＤ１５が光量の増大によって絶対最大定格を超えて発光するのを防止するには、この実施の形態のように、ＡＰＣ期間外のＬＤ１５の熱特性による光量増加量よりも、ホールドコンデンサ２６の電位低下によるＬＤ光量の減少量の方が大きくなるように設定すればよい。これを実現するためには、具体的には例えば、上述した式Ａを満たすようにホールドコンデンサ２６の容量と、それに並列にＧＮＤに接続する抵抗３１の抵抗値を設定すればよい。これは次の理由による。
【００３９】
式１において微分効率は一定と仮定し、さらに温度不変と仮定とすれば、閾値電流は不変であり、ＬＤ駆動電流の変化量は、微分効率ηという比例定数を介して光量の変化量に比例することが分かる。また、式１において微分効率は一定と仮定し、駆動電流一定と仮定すれば、温度変動に伴う閾値電流変化量は、微分効率ηという比例定数を介して光量変化量に比例することが分かる。以上から、ＬＤ駆動電流の変化量と閾値電流の変化量が等しいければ、光量の変化量は等しく、光量変動は起こり得ないことが分かる。
【００４０】
図１２は、閾値電流の減少量と同量に駆動電流が減少した場合の特性図である。この場合は、図１２に示すように、温度変動によっても微分効率はほとんど変動しないため一定と考えることができ、閾値電流の減少による光量の増加量も、駆動電流の減少による光量の減少量も同量になることから、温度変動による影響と駆動電流の減少がバランスして光量変動は起こり得ない。
【００４１】
また同様にして閾値電流の減少量以上に駆動電流が減少した場合、ＬＤ光量の増大は起こり得ず、ひいては絶対最大定格を超えて発光してダメージを受ける可能性もなくなる。
【００４２】
このようにＡＰＣ期間外のＬＤの熱特性による光量の増加量よりも、ホールドコンデンサ２６の電位低下によるＬＤ光量の減少量の方が大きくなるように選定した抵抗３１であって、上記式Ａを満たすように抵抗値を選定した抵抗３１を接続することにより、絶対最大定格を超えてＬＤ１５が発光してダメージを受けることを回避できる。
【００４３】
この場合、通常のＬＤ制御装置であっても、設計方法によってはホールドコンデンサ２６からＧＮＤに向けてわずかに電流がリークすることもあるが、上述のＬＤ熱特性による光量増分を打ち消すことを意図したものではないために電流リーク量は少なく、十分にコンデンサの電位が低下するものではない。このため、絶対最大定格に近い光量でＬＤ１５を駆動した場合、ＬＤ熱特性による光量の増大によって絶対最大定格を超えて発光してしまい、ＬＤ１５にダメージが加わるのを回避できない。
【００４４】
さらに場合によっては、ホールドコンデンサ２６からＧＮＤに向けてリークする電流よりも、電源からホールドコンデンサ２６に向けてリークする電流の方が多いケースがあり、こうしたケースではＡＰＣ期間外において次第にホールドコンデンサ２６の電位が上昇して、ＬＤ１５が絶対最大定格を超えて発光してしまうこともある。
【００４５】
さらには、ホールドコンデンサ２６からＧＮＤに向けてリークする電流量や、電源からホールドコンデンサ２６にリークする電流量にバラツキが存在して、同じＬＤ制御装置でありながら、ＡＰＣ期間外にホールドコンデンサ２６の電位が上昇するものと、下降するものが混在するケースもある。このようなケースでは、経時劣化特性に個体毎の相違が現れることもある。
【００４６】
これに対し、この実施の形態では、ＡＰＣ期間外において、ＬＤ熱特性に起因する光量の増加割合よりも電位保持手段の電位の低下割合の方が大きくなるように選定した抵抗であって、式Ａを満たす抵抗値を持つ抵抗３１をホールドコンデンサ２６に並列に接続することにより、必ずＬＤ１５の光量を減少させるようにするため、ＬＤ１５が絶対最大定格を超えて発光することを回避できるものである。
【図面の簡単な説明】
【００４７】
【図１】本発明の一実施形態を適用したレーザープリンタの要部の斜視図である。
【図２】書き込み制御部の回路構成を示すブロック図である。
【図３】ＡＰＣ回路のブロック図である。
【図４】ＬＤ変調回路の回路図である。
【図５】本発明の一実施の形態の要部を示す回路図である。
【図６】ＬＤの特性図である。
【図７】ＬＤの温度依存性を示す特性図である。
【図８】ドゥループのメカニズムを示す特性図である。
【図９】ドゥループのメカニズムを示すタイミングチャートである。
【図１０】ＬＤの光量増大のメカニズムを示す特性図である。
【図１１】ＬＤの光量増大のメカニズムを示すタイミングチャートである。
【図１２】ＬＤの光量増大を打ち消すための特性図である。
【符号の説明】
【００４８】
１２    画像処理部
１３    ＤＡコンバータ
１４    ＬＤドライバ
１５    ＬＤ
１６    ＰＤ
２１    コンパレータ（比較手段）
２２    Ｓ／Ｈスイッチ（スイッチ手段）
２３    電流生成回路（ＬＤ駆動手段）
２４    ＬＤ変調回路（ＯＮ・ＯＦＦ制御手段）
２５    Ｉ／Ｖ変換回路
２６    ホールドコンデンサ（電位保持手段）
３１    抵抗
【図１】
2006080466.tif 000003
【図２】
2006080466.tif 000004
【図３】
2006080466.tif 000005
【図４】
2006080466.tif 000006
【図５】
2006080466.tif 000007
【図６】
2006080466.tif 000008
【図７】
2006080466.tif 000009
【図８】
2006080466.tif 000010
【図９】
2006080466.tif 000011
【図１０】
2006080466.tif 000012
【図１１】
2006080466.tif 000013
【図１２】
2006080466.tif 000014